(57)【要約】【課題】使用者の頭部に蓄積された静電気を、効率良くまくら内部に移動させて頭部での静電気を除去する静電気除去まくらを得る。【解決手段】第１の磁気シート４を巻きつけた電界コンデンサー１と、マイクロコンデンサー２と、前記電界コンデンサー１と、前記マイクロコンデンサー２とを収納するまくら用プラスチックカプセル６前記まくら用プラスチックカプセル６の外周面には、第２の磁気シート５が巻き付けられており、前記カプセルが、複数個、まくら内に配置されて構成された静電気除去まくらとする。【選択図】図１
2015167587.tif 000002
【特許請求の範囲】
【請求項１】
第１の磁気シートを巻きつけた電解コンデンサーと、
マイクロコンデンサーと、ダイオードと、
前記電解コンデンサーと、前記マイクロコンデンサーと、前記ダイオードを収納するまくら用プラスチックカプセルと、
前記まくら用プラスチックカプセルの外周面には、第２の磁気シートが巻きつけられており、
前記まくら用プラスチックカプセルが、複数個、まくら内に配置されて構成された静電気除去まくらであって、
使用者が静電気除去まくらを使用することにより、
使用者の頭部に蓄積した静電気が、前記静電気除去まくらの前記まくら用プラスチックカプセル内に移動して、使用者の頭部の静電気が除去されることを特徴とする静電気除去まくら。
【請求項２】
第１の磁気シートを巻きつけた電解コンデンサーと、
マイクロコンデンサーと、ダイオードと、
前記電解コンデンサーと前記マイクロコンデンサーと、ダイオードを収納するまくら用プラスチックカプセルと、
前記まくら用プラスチックカプセルの外周面には、第２の磁気シートが巻き付けられており、
前記まくら用プラスチックカプセルが、複数個、まくら内に配置されて構成された静電気除去まくらであって、
静電気除去まくらの布には磁気シートが、前記まくらの布の内側あるいは外側に貼りつけられ、
使用者が前記静電気除去まくらを使用することにより、使用者の頭部に蓄積した静電気が、前記静電気除去まくらの前記まくら用プラスチックカプセル内に移動して、使用者の頭部の静電気が除去されることを特徴とする静電気除去まくら。
【請求項３】
第１の磁気シートを巻きつけた電解コンデンサーと、
マイクロコンデンサーと、ダイオードと、
前記電解コンデンサーと前記マイクロコンデンサーと、ダイオードを収納するまくら用プラスチックカプセルと、
前記まくら用プラスチックカプセルの外周面に第２の磁気シートが巻き付けられており、前記まくら用プラスチックカプセルが、複数個、まくら内に配置されて構成された静電気除去まくらであって、
前記静電気除去まくらの内部に導電性繊維が混入されているか、あるいは導電性繊維のシートが、前記静電気除去まくらを包んでおり、
使用者が、前記静電気除去まくらを使用することにより、
使用者の頭部に蓄積した静電気が、前記静電気除去まくらの前記まくら用プラスチックカプセル内に移動して使用者の頭部の静電気が除去されることを特徴とする静電気除去まくら。
【請求項４】
前記第１の磁気シートは、前記電界コンデンサーの周囲に３ターン以上から１０ターン以下の範囲のターン数が巻かれ、また、第２の磁気シートは、前記カプセルの周囲に５ターン以上から２０ターン以下の範囲のターン数が巻かれたことを特徴とする請求項１ないし３のいずれか１項記載の静電気除去まくら。
【請求項５】
前記第１の磁気シート、および前記第２の磁気シートは、ベースフイルム上にフェライト系磁性体が塗布された磁気シートであることを特徴とする請求項１ないし３のいずれか１項記載の静電気除去まくら。
【請求項６】
前記静電気除去まくらの内部には、静電気吸収用回路基板が配置されたことを特徴とする請求項１ないし３のいずれか１項記載の静電気除去まくら。
【請求項７】
前記静電気吸収用回路基板は、銅線をα巻にしたコイルと、抵抗と、ダイオードとトロイダルコイルとの並列回路で構成されたことを特徴とする請求項6記載の静電気除去まくら。
【請求項８】
第１の磁気シートを巻きつけた電解コンデンサーと、
マイクロコンデンサーと、ダイオードと、
前記電解コンデンサーと、前記マイクロコンデンサーと、
前記ダイオードを収納するまくら用プラスチックカプセルとを使用し、
前記まくら用プラスチックカプセルの外周面に、第２の磁気シートが巻きつけ、
前記まくら用プラスチックカプセルを、複数個、まくら内に配置する静電気除去方法であって、
使用者が、前記まくらを使用することにより、
使用者の頭部に蓄積した静電気が、前記まくらの、前記まくら用プラスチックカプセル内に移動させて、使用者の頭部の静電気を除去することを特徴とする静電気除去方法。
【請求項９】
第１の磁気シートを巻きつけた電解コンデンサーと、
マイクロコンデンサーと、ダイオードと、
前記電解コンデンサーと前記マイクロコンデンサーと、
前記ダイオードを収納するまくら用プラスチックカプセルとを使用し、
前記まくら用プラスチックカプセルの外周面に、第２の磁気シートが巻き付け、
前記まくら用プラスチックカプセルが、複数個、まくら内に配置する静電気除去方法であって、
前記まくらの布に、磁気シートを、前記まくらの布の内側あるいは外側に貼りつけ、
使用者が、前記まくらを使用することにより、使用者の頭部に蓄積した静電気がを、前記まくらの、前記まくら用プラスチックカプセル内に移動して、使用者の頭部の静電気を除去することを特徴とする静電気除去方法。
【請求項１０】
第１の磁気シートを巻きつけた電解コンデンサーと、
マイクロコンデンサーと、ダイオードと、
前記電解コンデンサーと前記マイクロコンデンサーと、
前記ダイオードを収納するまくら用プラスチックカプセルとを使用し、
前記まくら用プラスチックカプセルの外周面に、第２の磁気シートを巻き付け、
前記まくら用プラスチックカプセルを、複数個、まくら内に配置する静電気方法であって、前記まくらの内部に導電性繊維が混入されているか、あるいは導電性繊維のシートが、前記記まくらを包んでおり、使用者が、前記静電気除去まくらを使用することにより、使用者の頭部に蓄積した静電気を、前記まくらの、前記まくら用プラスチックカプセル内に移動させて使用者の頭部の静電気を除去することを特徴とする静電気除去方法。
【発明の詳細な説明】
【技術分野】
【０００１】
本発明は、まくらと頭部の摩擦、まくら内の素材同士の摩擦がもとで人の頭部に蓄積される静電気や、外部からの電磁波に暴露されることによって生ずる頭部の静電気を、使用者の頭部から除去させる静電気除去まくら、および静電気除去方法に関する。
【背景技術】
【０００２】
従来のまくらに関しては、使用者の頭の形に合わせる形式のまくら、あるいは、赤外線発生物質を配置したもの、各種の形式のまくらが公開されている。
【先行技術文献】
【特許文献】
【０００３】
【特許文献１】特開２０１１−１１０５３号公報
【発明の概要】
【発明が解決しようとする課題】
【０００４】
従来のまくらの応用に関しては、使用者の頭に蓄積された静電気を除去させるまくらについては、開示されていない。特許文献1には、まくらの形状を調整することについては開示されているが、静電気を除去することについては、記載されていない。
【０００５】
本発明の課題は、使用者の頭部に蓄積された静電気を、まくらに設置した除電器具や除電素材で除去することができる静電気除去まくら、および静電気除去方法を提供することである。
【課題を解決するための手段】
【０００６】
本発明の請求項１に係る静電気除去まくらは、第１の磁気シートを巻きつけた電解コンデンサーと、マイクロコンデンサーと、ダイオードと、前記電解コンデンサーと、前記マイクロコンデンサーと、前記ダイオードを収納するまくら用プラスチックカプセル、前記まくら用プラスチックカプセルの外周面には、第２の磁気シートが巻きつけられており、前記まくら用プラスチックカプセルが、複数個、まくら内に配置されて構成された静電気除去まくらであって、使用者が静電気除去まくらを使用することにより、使用者の頭部に蓄積した静電気が、前記静電気除去まくらの前記まくら用プラスチックカプセル内に移動して、使用者の頭部の静電気が除去されることを特徴とする静電気除去まくらである。
【０００７】
本発明の請求項２に係る静電気除去まくらは、第１の磁気シートを巻きつけた電解コンデンサーと、マイクロコンデンサーと、ダイオードと、前記電解コンデンサーと前記マイクロコンデンサーと、ダイオードを収納するまくら用プラスチックカプセルと、前記まくら用プラスチックカプセルの外周面には、第２の磁気シートが巻き付けられており、前記まくら用プラスチックカプセルが、複数個、まくら内に配置されて構成された静電気除去まくらであって、静電気除去まくらの布には磁気シートが、前記まくらの布の内側あるいは外側に貼りつけられ、使用者が前記静電気除去まくらを使用することにより、使用者の頭部に蓄積した静電気が、前記静電気除去まくらの前記まくら用プラスチックカプセル内に移動して、使用者の頭部の静電気が除去されることを特徴とする静電気除去まくらである。
【０００８】
本発明の請求項３に係る静電気除去まくらは、第１の磁気シートを巻きつけた電解コンデンサーと、マイクロコンデンサーと、ダイオードと、前記電解コンデンサーと前記マイクロコンデンサーと、ダイオードを収納するまくら用プラスチックカプセルと、前記まくら用プラスチックカプセルの外周面に第２の磁気シートが巻き付けられており、前記まくら用プラスチックカプセルが、複数個、まくら内に配置されて構成された静電気除去まくらであって、前記静電気除去まくらの内部に導電性繊維が混入されているか、あるいは導電性繊維のシートが、前記静電気除去まくらを包んでおり、使用者が、前記静電気除去まくらを使用することにより、使用者の頭部に蓄積した静電気が、前記静電気除去まくらの前記まくら用プラスチックカプセル内に移動して使用者の頭部の静電気が除去されることを特徴とする静電気除去まくらである。
【０００９】
本発明の請求項４に係る静電気除去まくらは、前記第１の磁気シートは、前記電界コンデンサーの周囲に３ターン以上から１０ターン以下の範囲のターン数が巻かれ、また、第２の磁気シートは、前記カプセルの周囲に５ターン以上から２０ターン以下の範囲のターン数が巻かれたことを特徴とする請求項１ないし３のいずれか１項記載の静電気除去まくらである。
【００１０】
本発明の請求項５に係る静電気除去まくらは、前記第１の磁気シート、および前記第２の磁気シートは、ベースフイルム上にフェライト系磁性体が塗布された磁気シートであることを特徴とする請求項１ないし３のいずれか１項記載の静電気除去まくらである。
【００１１】
本発明の請求項６に係る静電気除去まくらは、前記静電気除去まくらの内部には、静電気吸収用回路基板が配置されたことを特徴とする請求項１ないし３のいずれか１項記載の静電気除去まくらである。
【００１２】
本発明の請求項7に係る静電気除去まくらは、前記静電気吸収用回路基板は、銅線をα巻にしたコイルと、抵抗と、ダイオードとトロイダルコイルとの並列回路で構成されたことを特徴とする請求項6記載の静電気除去まくらである。
【００１３】
本発明の請求項８に係る静電気除去方法は、第１の磁気シートを巻きつけた電解コンデンサーと、マイクロコンデンサーと、ダイオードと、前記電解コンデンサーと、前記マイクロコンデンサーと、前記ダイオードを収納するまくら用プラスチックカプセルとを使用し、
前記まくら用プラスチックカプセルの外周面に、第２の磁気シートが巻きつけ、前記まくら用プラスチックカプセルを、複数個、まくら内に配置する静電気除去方法であって、
使用者が、前記まくらを使用することにより、使用者の頭部に蓄積した静電気が、前記まくらの、前記まくら用プラスチックカプセル内に移動させて、使用者の頭部の静電気を除去することを特徴とする静電気除去方法である。
【００１４】
本発明の請求項９に係る静電気除去方法は、第１の磁気シートを巻きつけた電解コンデンサーと、マイクロコンデンサーと、ダイオードと、前記電解コンデンサーと前記マイクロコンデンサーと、前記ダイオードを収納するまくら用プラスチックカプセルとを使用し、前記まくら用プラスチックカプセルの外周面に、第２の磁気シートが巻き付け、前記まくら用プラスチックカプセルが、複数個、まくら内に配置する静電気除去方法であって、前記まくらの布に、磁気シートを、前記まくらの布の内側あるいは外側に貼りつけ、使用者が、前記まくらを使用することにより、使用者の頭部に蓄積した静電気がを、前記まくらの、前記まくら用プラスチックカプセル内に移動して、使用者の頭部の静電気を除去することを特徴とする静電気除去方法である。
【００１５】
本発明の請求項１０に係る静電気除去方法は、第１の磁気シートを巻きつけた電解コンデンサーと、マイクロコンデンサーと、ダイオードと、前記電解コンデンサーと前記マイクロコンデンサーと、前記ダイオードを収納するまくら用プラスチックカプセルとを使用し、
前記まくら用プラスチックカプセルの外周面に、第２の磁気シートを巻き付け、前記まくら用プラスチックカプセルを、複数個、まくら内に配置する静電気方法であって、前記まくらの内部に導電性繊維が混入されているか、あるいは導電性繊維のシートが、前記記まくらを包んでおり、使用者が、前記静電気除去まくらを使用することにより、使用者の頭部に蓄積した静電気を、前記まくらの、前記まくら用プラスチックカプセル内に移動させて使用者の頭部の静電気を除去することを特徴とする静電気除去方法である。
【発明の効果】
【００１６】
請求項１の静電気除去まくらによれば、使用者の頭部に蓄積された静電気を、効率良くまくら内部に移動させる静電気除去まくらを提供することができる。
【００１７】
請求項２の静電気除去まくらによれば、複合シートの効果も加わって、使用者の頭部に蓄積された静電気を、更に、効率良くまくら内部に移動させる静電気除去まくらを提供することができる。
【００１８】
請求項３の静電気除去まくらによれば、導電性繊維の効果も加わって、使用者の頭部に蓄積された静電気を、更に、効率良くまくら内部に移動させる静電気除去まくらを提供することができる。
【００１９】
請求項４，５の静電気除去まくらによれば、磁気シートの巻き方の最適条件にて、使用者の頭部に蓄積された静電気を、効率良くまくら内部に移動させる静電気除去まくらを提供することができる。
【００２０】
請求項５，６、７の静電気除去まくらによれば、静電気吸収用回路基板をまくら内に配置することによって、使用者の頭部に蓄積された静電気を、更に、効率良くまくら内部に移動させる静電気除去まくらを提供することができる。
【００２１】
請求項８，９、１０の静電気除去方法によれば、静電気吸収用回路基板をまくら内に配置することによって、使用者の頭部に蓄積された静電気を、更に、効率良くまくら内部に移動させる静電気除去方法を提供することができる。
【００２２】
本発明によれば、使用者の頭部に蓄積された静電気を、効率良くまくら内部に移動させて、
使用者の頭部の静電気を除去することが可能な静電気除去まくら、および静電気除去方法を提供することができる。
【図面の簡単な説明】
【００２３】
【図１】実施例１の静電気除去まくらの図。
【図２】実施例２の静電気除去まくらの図。
【図３】実施例３の静電気除去まくらの図。
【図４】実施例４の静電気除去まくらの図。
【発明を実施するための形態】
【００２４】
本発明の実施の形態による静電気除去まくらは、第１の磁気シートを巻きつけた電解コンデンサーと、マイクロコンデンサーと、ダイオードと、前記電解コンデンサーと、前記マイクロコンデンサーと、前記ダイオードを収納するまくら用プラスチックカプセル、前記まくら用プラスチックカプセルの外周面には、第２の磁気シートが巻きつけられており、前記まくら用プラスチックカプセルが、複数個、まくら内に配置されて構成された静電気除去まくらであって、使用者が静電気除去まくらを使用することにより、使用者の頭部に蓄積した静電気が、前記静電気除去まくらの前記まくら用プラスチックカプセル内に移動して、使用者の頭部の静電気が除去されることを特徴とする静電気除去まくらである。
【００２５】
更に、本発明の実施の形態による静電気除去まくらは、第１の磁気シートを巻きつけた電解コンデンサーと、マイクロコンデンサーと、ダイオードと、前記電解コンデンサーと前記マイクロコンデンサーと、ダイオードを収納するまくら用プラスチックカプセルと、前記まくら用プラスチックカプセルの外周面には、第２の磁気シートが巻き付けられており、前記まくら用プラスチックカプセルが、複数個、まくら内に配置されて構成された静電気除去まくらであって、静電気除去まくらの布には磁気シートが、前記まくらの布の内側あるいは外側に貼りつけられ、使用者が、前記静電気除去まくらを使用することにより、使用者の頭部に蓄積した静電気が、前記静電気除去まくらの前記まくら用プラスチックカプセル内に移動して、使用者の頭部の静電気が除去される静電気除去まくらである。
【００２６】
更に、本発明の実施の形態による静電気除去まくらは、第１の磁気シートを巻きつけた電解コンデンサーと、マイクロコンデンサーと、ダイオードと、前記電解コンデンサーと前記マイクロコンデンサーと、ダイオードを収納するまくら用プラスチックカプセルと、前記まくら用プラスチックカプセルの外周面には、第２の磁気シートが巻き付けられており、前記まくら用プラスチックカプセルが、複数個、まくら内に配置されて構成された静電気除去まくらであって、前記静電気除去まくらの内部に導電性繊維が混入されているか、あるいは導電性繊維のシートが前記静電気除去まくらを包んでおり、使用者が、前記静電気除去まくらを使用することにより、使用者の頭部に蓄積した静電気が、前記静電気除去まくらの前記まくら用プラスチックカプセル内に移動して、使用者の頭部の静電気が除去される静電気除去まくらである。
【００２７】
ここで、前記第１の磁気シートは、前記電界コンデンサーの周囲に３ターン以上から１０ターン以下の範囲のターン数を巻き、また、第２の磁気シートは、前記カプセルの周囲に５ターン以上から２０ターン以下の範囲のターン数が巻かれることを特徴とする静電気除去まくらである。
【００２８】
第１の磁気シートのターン数が、３ターン未満であると、十分、使用者頭部に蓄積された静電気を電界コンデンサー内へ移動できない不具合が生じ、第１の磁気シートのターン数が、１０ターンを超えると、過剰なターン数となり、無駄が生ずる。
第２の磁気シートのターン数が、５ターン未満であると、十分、使用者頭部に蓄積された静電気をカプセル内へ移動できない不具合が生じ、第２の磁気シートのターン数が、２０ターンを超えると、過剰なターン数となり、無駄が生ずる。
【００２９】
また、前記第１の磁気シート、および前記第２の磁気シートは、ベースフイルム上にフェライト系磁性体が塗布された磁気シートであることを特徴とする。
【００３０】
ここで、静電気除去まくらの内部には、静電気吸収用の回路基板が配置されたことを特徴とする。前記静電気吸収用の回路基板は、銅線をα巻にしたコイルと、抵抗と、ダイオードとトロイダルコイルとの並列回路で構成されている。
【実施例】
【００３１】
（実施例１）
図１は、実施例1の静電気除去まくらの図である。６は、まくら用プラスチックカプセルであって、まくら用プラスチックカプセル６の内部には、第１の磁気シート４が巻かれた電解コンデンサー１と、磁気シートは巻かれていないマイクロコンデンサー2と、ダイオードが収納されている。前記まくら用プラスチックカプセル６の外周面には、第２の磁気シート５が巻かれている。
【００３２】
前記まくら用プラスチックカプセル６が、まくら内に複数個配置されて、静電気除去まくら１０が形成される。前記静電気除去まくら１０を使用者が利用すると、使用者の頭部に蓄積した静電気が、前記静電気除去まくら１０の前記まくら用プラスチックカプセル６内に移動して、使用者の頭部の静電気が除去される。使用者の頭から静電気が除去されると、使用者の眠りが、深くなる効果がある。
【００３３】
（実施例２）
図２は、実施例２の静電気除去まくらの図である。６は、まくら用プラスチックカプセルであって、まくら用プラスチックカプセル６の内部には、第１の磁気シート４が巻かれた電界コンデンサ１と、磁気シートは巻かれていないマイクコンデンサ２が収納されている。
前記まくら用プラスチックカプセル６の外周面には、第２の磁気シート５が巻かれている。
【００３４】
一方、静電気除去まくらの布には、磁気シート９が前記まくらの布の内側あるいは、外側に貼りつけられ、前記まくら用プラスチックカプセル6が、まくら内に複数個配置されて、静電気まくら10が、形成される。前記静電気除去まくら11を使用者が使用すると、使用者の頭部に蓄積した静電気が、前記静電気除去まくら11の前記まくら用プラスチックカプセル6内に移動して、使用者の頭部の静電気が除去される。使用者の頭から静電気が除去されると、使用者の眠りが深くなる効果がある。
【００３５】
（実施例３）
図３は、実施例３の静電気除去まくらの図である。６は、まくら用プラスチックカプセルであって、まくら用プラスチックカプセル６の内部には、第１の磁気シート４が巻かれた電界コンデンサ１と、磁気シートは巻かれていないマイクコンデンサ２が収納されている。
前記まくら用プラスチックカプセル６の外周面には、第２の磁気シート５が巻かれている。
【００３６】
一方、静電気除去まくらの内部、あるいは表面部分に導電性繊維１００、１０１を配置している。前記まくら用プラスチックカプセル６が、まくら内に複数個配置されて、静電気除去まくら１０が、形成される。前記静電気除去まくら１２を使用者が利用すると、使用者の頭部に蓄積した静電気が、前記静電気除去まくら１２の前記まくら用プラスチックカプセル６内に移動して、使用者の頭部の静電気が除去される。使用者の頭から静電気が除去されると、使用者の眠りが、深くなる効果がある。
【００３７】
（実施例４）
図４は、実施例４の静電気除去まくらの図である。６は、まくら用プラスチックカプセルであって、まくら用プラスチックカプセル６の内部には、第１の磁気シート４が巻かれた電界コンデンサ１と、磁気シートは巻かれていないマイクコンデンサ２が収納されている。
前記まくら用プラスチックカプセル６の外周面には、第２の磁気シート５が巻かれている。
【００３８】
前記まくら用プラスチックカプセル６が、まくら内に複数個配置され、さらに静電気吸収用回路基板７が配置されて、静電気除去まくら１４が形成される。前記静電気除去まくら１４を使用者が利用すると、使用者の頭部に蓄積した静電気が、前記静電気除去まくら１０の前記まくら用プラスチックカプセル６内に移動して、使用者の頭部の静電気が除去される。使用者の頭から静電気が除去されると、使用者の眠りが、深くなる効果がある。
【００３９】
前記静電気吸収用回路基板は、銅線をα巻にしたコイルと、抵抗と、ダイオードとトロイダルコイルとの並列回路で構成されている。
【００４０】
（実施例５）
表１に、本実施例の静電気除去まくらを、被験者の適用した場合の、効果を示す。
【表１】
2015167587.tif 000003
【産業上の利用可能性】
【００４１】
本発明の静電気除去まくらによれば、使用者の頭部に蓄積された静電気を、効率良くまくら内部に移動させて頭部での静電気を除去する静電気除去まくらを提供することができ、
使用者に、癒し効果を与えて健康改善に活用できる。
【符号の説明】
【００４２】
１  電界コンデンサー
２  マイクロコンデンサ
４  第１の磁気シート
５  第２の磁気シート
６  まくら用プラスチックカプセル
７    静電気吸収用回路基板
８    ガーゼシート
９    磁気シート
１０，１１、１２，１３，１４      静電気除去まくら
１００，１０１    導電性繊維
２００      複合シート
【図１】
2015167587.tif 000004
【図２】
2015167587.tif 000005
【図３】
2015167587.tif 000006
【図４】
2015167587.tif 000007